(57)【要約】【課題】保冷剤を台襟付きシャツに容易に隠し入れることができ、かつ脱落させないようにすることで、夏場の通勤や野外作業時などにおけるシャツ着用者の首の部分を冷やし、暑さを軽減する。【解決手段】保冷シャツであって、冷却してもゲル状を保つ保冷剤を具備する全長が台襟の横方向の長さの２／３以上である保冷部材と、前記保冷部材を出し入れ可能にするための開口部を有する、前記台襟に前記保冷部材を外から見えないように収納する保冷部材収納部を備え、前記保冷部材収納部は前記台襟の表布地と裏布地の間に形成され、かつ台襟の表布地中央下部が前記保冷部材の長手方向の１／２〜２／３の長さで開口しており、さらに台襟中央部から左右各々へ前記保冷部材の長手方向の１／２の長さの位置にステッチが施され、前記保冷部材収納部に収納された保冷部材の位置ずれを防止する。【選択図】図１
0003173264.tif 000002
【実用新案登録請求の範囲】
【請求項１】
冷却してもゲル状を保つ保冷剤を具備する全長が台襟の横方向の長さの２／３以上である保冷部材と、
前記保冷部材を出し入れ可能にするための開口部を有する、前記台襟に前記保冷部材を外から見えないように収納する保冷部材収納部を備え、
前記保冷部材収納部は前記台襟の表布地と裏布地の間に形成され、かつ台襟の表布地中央下部が前記保冷部材の長手方向の１／２〜２／３の長さで開口しており、
さらに台襟中央部から左右各々へ前記保冷部材の長手方向の１／２の長さの位置にステッチが施され、前記保冷部材収納部に収納された保冷部材の位置ずれを防止することを特徴とする保冷シャツ。
【請求項２】
冷却してもゲル状を保つ保冷剤を具備する全長が台襟の横方向の長さの２／３以上である保冷部材と、
前記保冷部材を出し入れ可能にするための開口部を有する、前記台襟に前記保冷部材を外から見えないように収納する保冷部材収納部を備え、
前記保冷部材収納部は前記台襟の裏側に、横の長さが前記保冷部材の長手方向の長さで上辺が開口している矩形のポケット状に形成されており、
さらに前記保冷部材収納部の上辺は左右両端から中央部に向かって各々２ｃｍの部分が縫い付けられ、前記保冷部材収納部に収納された保冷部材の脱落を防止することを特徴とする保冷シャツ。
【請求項３】
前記保冷部材は、前記保冷剤が合成樹脂製の縦１〜３ｃｍ、横１〜７ｃｍの大きさの袋体に封入され、かつ該袋体が横一列に４〜２５の数で連結した形状になっていることを特徴とする請求項１または２に記載の保冷シャツ。
【考案の詳細な説明】
【技術分野】
【０００１】
本考案は、台襟に保冷部材を収納したシャツに関するものである。
【背景技術】
【０００２】
従来、衣服に保冷剤を入れることによる夏の暑さ対策が、いろいろと行われて来ている。
例えば、保冷剤を用いるが、重量を増すことなく、数倍も長く保冷効果が継続する保冷服を提供することを目的として、体を被う服に多数の収納部を、その素材の表面と裏面とに設け、表面の収納部に融点の低い保冷剤バックを、裏面の収納部に融点の高い保冷剤バックをそれぞれ納めたことを特徴とする保冷服（特許文献１を参照）が提供されている。
しかし、この保冷服では通常着る衣服の他に特殊な服を別に着ることが必要であり、一般のビジネスマンなどが夏に外出する際に着用するには不適当である。
【０００３】
また、風の強さなどの自然条件に影響されることなく冷却効果が得られ、首に巻いた場合には服が濡れないようにすることを目的として、表裏両面がフェルト地のポケットを布地に取り付け、ポケットに保冷剤を出し入れ可能に設けてあり、また、二つのポケットを一列に並べ、両ポケットは、フェルト地を二つ折りして長方形にすると共に重ね合わせた縁部を逢着し、フェルト地の表面の横幅中央部に縦向きのスリットを備え、スリットを両ポケットの共通の入口としても良い保冷用装身具（特許文献２を参照）が提供されている。
【先行技術文献】
【特許文献】
【０００４】
【特許文献１】特開２００９−１２７１４７号公報
【特許文献２】特開２００３−５５８２３号公報
【考案の概要】
【考案が解決しようとする課題】
【０００５】
しかし、特許文献２に記載の保冷用装身具の場合でも、通常着用する衣服の他に、本保冷用装身具を別に着用することが必要となる。
そこで、本考案の目的は、保冷用の衣服や装身具を別に着用することなく、保冷剤を台襟付きシャツに容易に隠し入れることができ、かつ脱落させないようにすることで、夏場の台襟付きシャツ着用者の通勤や野外作業時などにおける首の部分を冷やし、暑さを軽減することを実現することである。
【課題を解決するための手段】
【０００６】
上記の課題を解決するために、本考案にかかる保冷シャツは、冷却してもゲル状を保つ保冷剤を具備する全長が台襟の横方向の長さの２／３以上である保冷部材と、前記保冷部材を出し入れ可能にするための開口部を有する、前記台襟に前記保冷部材を外から見えないように収納する保冷部材収納部を備え、前記保冷部材収納部は前記台襟の表布地と裏布地の間に形成され、かつ台襟の表布地中央下部が前記保冷部材の長手方向の１／２〜２／３の長さで開口しており、さらに台襟中央部から左右各々へ前記保冷部材の長手方向の１／２の長さの位置にステッチが施され、前記保冷部材収納部に収納された保冷部材の位置ずれを防止することを特徴とする。
【０００７】
次に、本考案にかかる保冷シャツは、冷却してもゲル状を保つ保冷剤を具備する全長が台襟の横方向の長さの２／３以上である保冷部材と、前記保冷部材を出し入れ可能にするための開口部を有する、前記台襟に前記保冷部材を外から見えないように収納する保冷部材収納部を備え、前記保冷部材収納部は前記台襟の裏側に、横の長さが前記保冷部材の長手方向の長さで上辺が開口している矩形のポケット状に形成されており、さらに前記保冷部材収納部の上辺は左右両端から中央部に向かって各々２ｃｍの部分が縫い付けられ、前記保冷部材収納部に収納された保冷部材の脱落を防止することを特徴とする。
【０００８】
また、前記保冷部材は、前記保冷剤が合成樹脂製の縦１〜３ｃｍ、横１〜７ｃｍの大きさの袋体に封入され、かつ該袋体が横一列に４〜２５の数で連結した形状になっていることを特徴とする。
【考案の効果】
【０００９】
第１に、台襟付きシャツの台襟に形成された保冷部材収納部に保冷部材が収納されているので、保冷部材の冷たさが着用者の首の部分に伝わり、本考案にかかる保冷シャツを着用すると効果的な夏の暑さ対策となる。
第２に、保冷部材収納部には大きな開口部が形成されているので、保冷部材交換時はシャツを着用したままでも短時間に、かつ容易に保冷部材を出し入れすることができる。
第３に、保冷部材は冷却してもゲル状を保つ保冷剤と合成樹脂製の袋体から構成されており、かつ該袋体が横一列に連結した形状になっているため、保冷部材が首回りに沿い、また、保冷部材が台襟に隠れる形で収納されるので、シャツ着用者のごろつき感や不快感を軽減し周囲の人達に外見的に不自然な印象を与えない。
【図面の簡単な説明】
【００１０】
【図１】実施例１の場合の本考案にかかる保冷シャツの表側の台襟付近の説明図である。
【図２】本考案にかかる保冷シャツで用いる保冷部材の説明図である。
【図３】実施例２の場合の本考案にかかる保冷シャツの裏側の台襟付近の説明図である。
【考案を実施するための形態】
【００１１】
夏期に着用する台襟付きシャツを利用して夏の暑さ対策を実現するという目的を、台襟付きシャツの台襟に保冷部材を収納する保冷部材収納部を形成することにより実現した。
【実施例１】
【００１２】
以下、図面を参照しながら、本考案の実施の形態について詳しく説明する。
図１は、実施例１の場合の本考案にかかる保冷シャツの表側の台襟付近の説明図である。
本考案にかかる保冷シャツは、冷却してもゲル状を保つ保冷剤１１を具備する全長が台襟２の横方向の長さの２／３以上である保冷部材１０と、保冷部材１０を出し入れ可能にするための開口部５を有する、台襟２に保冷部材１０を外から見えないように収納する保冷部材収納部４から構成されている。
【００１３】
図１は、上から襟１、台襟２、身頃３と構成されているが、保冷部材収納部４は台襟２の表布地と裏布地の間に形成され、かつ台襟２の表布地中央下部が保冷部材１０の長手方向の１／２〜２／３の長さで開口している。
従って、保冷部材収納部４に収納する保冷部材１０は、開口部５を利用して保冷部材収納部４に出し入れ可能である。しかも、保冷部材収納部４の開口部５が保冷部材１０の長手方向の１／２〜２／３の長さがあるので、保冷部材１０がシャツを着用したままでも容易に出し入れできる。また、開口部５以外の部分は横に長い袋状になっているので、保冷部材１０の収納後は脱落しない。
また、保冷部材１０が台襟２に形成された保冷部材収納部４の中に完全に隠れており、外から見ても保冷部材１０が収納されているシャツであるとは一見しただけではわからない。
このように、シャツの台襟２の中に保冷部材１０が収納されていることにより、台襟２を通して、シャツ着用者の首の部分を冷やすので、効果的な夏の暑さ対策になる。
【００１４】
台襟２中央部から左右各々へ保冷部材１０の長手方向の１／２の長さの位置に、位置ずれ防止用ステッチ６が施されている。このステッチが施されていることにより、本考案にかかるシャツを着用している間、保冷部材収納部４に収納された保冷部材１０の位置のずれを防ぐと共に、保冷部材１０の脱落も防止する。
【００１５】
図２は、本考案にかかる保冷シャツで用いる保冷部材１０の説明図である。
保冷部材１０の全長は台襟２の横方向の長さの２／３以上である。また、保冷部材１０は、冷却してもゲル状を保つ保冷剤１１が合成樹脂製の縦１〜３ｃｍ、横１〜７ｃｍの大きさの袋体に封入され、かつ該袋体が横一列に４〜２５の数で連結した形状になっている。図２は、該袋体が横一列に６つ連結している例である。
この保冷部材１０は、シャツの着用者の首のカーブに沿って収納されるため、着用時のごろつき感や不快感を軽減し、外見からは保冷剤１１の存在がわからないようになる。従って、着用者は外見を気にすることなく、夏の暑さ対策を実現することができる。
【００１６】
保冷部材１０をシャツの着用中に保冷部材収納部４に入れる方法の一例について説明する。
まず、襟１を立てて、台襟２がシャツの表側から見える状態にする。そして、冷却した保冷部材１０の端部をシャツの台襟２の表布地中央下部の開口部５から保冷部材収納部４の中に差し込み、左右のいずれかの方向に位置ずれ防止用ステッチ６にあたるまで、挿入する。その後、まだ差し込まれていない側の保冷部材１０の端部を、先程とは異なる方向で保冷部材収納部４の中に差し込み、保冷部材１０が保冷部材収納部４の中に完全に隠れるまで挿入する。最後に、襟１を折って、台襟２に被せる。
【００１７】
次に、保冷部材１０をシャツの着用中に保冷部材収納部４から出す方法の一例について説明する。
まず、襟１を立てて、台襟２がシャツの表側から見える状態にする。そして、指を保冷部材収納部４の中に入れて、保冷部材収納部４に収納されている保冷部材１０の中央下部を摘んで、そのまま下の方向に移動して、保冷部材１０を保冷部材収納部４から引き出す。
【００１８】
台襟２の素材としては、綿など様々なものが利用可能である。吸水速乾生地や接触冷感素材を使用しても良い。また、本考案に用いられるシャツとしては、ワイシャツ、ポロシャツなど、台襟２を有する様々なシャツが利用可能である。
【００１９】
本実施例の効果について、説明する。
第１に、シャツの台襟２に形成された保冷部材収納部４内に保冷部材１０が収納されているので、保冷部材１０の冷たさが保冷部材収納部４を通して着用者に伝わり、本考案にかかるシャツを着用すると効果的な夏の暑さ対策となる。
第２に、保冷部材収納部４の一部である台襟２の表布地中央下部が大きく開口しているので、保冷部材交換時はシャツを着用したままでも短時間に、かつ容易に保冷部材１０を出し入れすることができる。
第３に、保冷部材１０がシャツの台襟２の中に完全に隠れる形で収納されるので、シャツ着用者の周囲の人達に外見的に不自然な印象を与えない。
第４に、保冷部材１０は冷却してもゲル状を保つ保冷剤１１と合成樹脂製の袋体から構成されており、かつ該袋体が横一列に連結した形状になっているため、シャツの着用者の首のカーブに沿って保冷部材１０が収納されるため、着用時のごろつき感や不快感を軽減し、外見からは保冷部材１０の存在がわからないようになる。従って、着用者は外見を気にすることなく、夏の暑さ対策を実現することができる。
第５に、台襟２の表布地中央下部に形成されている開口部５以外の台襟２下部は表布地と裏布地が縫い付けられているので、シャツ着用時にシャツから脱落しないように保冷部材１０を保持することができる。
第６に、台襟２中央部から左右各々へ保冷部材１０の長手方向の１／２の長さの位置に位置ずれ防止用ステッチ６が施されているので、保冷部材収納部４に収納された保冷部材１０の着用中の位置ずれを防止すると同時に、脱落をも防止することができる。
【実施例２】
【００２０】
図３は、実施例２の場合の本考案にかかる保冷シャツの裏側の台襟付近の説明図である。
本実施例の保冷シャツも、冷却してもゲル状を保つ保冷剤１１を具備する全長が台襟２の横方向の長さの２／３以上である保冷部材１０と、保冷部材１０を出し入れ可能にするための開口部５を有する、台襟２に保冷部材１０を外から見えないように収納する保冷部材収納部４から構成されている。ただし、実施例１の場合と異なり、保冷部材収納部４は台襟２の裏側に、横の長さが保冷部材１０の長手方向の長さで上辺が開口している矩形のポケット状に形成されている。
なお、保冷部材収納部４に収納する保冷部材１０については、実施例１と同じなので説明を省略する。
【００２１】
さらに、保冷部材収納部４の上辺は、左右両端から中央部に向かって各々２ｃｍの部分が縫い付けられている。従って、本考案にかかるシャツを着用して体が動いている間でも、保冷部材収納部４に収納された保冷部材１０の脱落を防止することができる。
【００２２】
保冷部材１０をシャツの着用中に保冷部材収納部４に入れる方法の一例について説明する。
まず、頭を前に傾けて、シャツの台襟２と着用者の首の後ろ側との間に隙間を作るようにする。そして、冷却した保冷部材１０の端部を保冷部材収納部４の上辺の開口部５から保冷部材収納部４の中に差し込み、左右のいずれかの方向に縫い付けられている部分にあたるまで、挿入する。その後、まだ差し込まれていない側の保冷部材１０の端部を、先程とは異なる方向で保冷部材収納部４の中に差し込み、保冷部材１０が保冷部材収納部４の中に完全に隠れるまで挿入する。
【００２３】
次に、保冷部材１０をシャツの着用中に保冷部材収納部４から出す方法の一例について説明する。
まず、頭を前に傾けて、シャツの台襟２と着用者の首の後ろ側との間に隙間を作るようにする。そして、指を保冷部材収納部４の中に入れて、保冷部材収納部４に収納されている保冷部材１０の中央上部を摘んで、そのまま上の方向に移動して、保冷部材１０を保冷部材収納部４から引き出す。
【００２４】
台襟２の素材としては、綿など様々なものが利用可能である。吸水速乾生地や接触冷感素材を使用しても良い。また、本考案に用いられるシャツとしては、ワイシャツ、ポロシャツなど、台襟２を有する様々なシャツが利用可能である。
【００２５】
本実施例の効果について、説明する。
第１に、シャツの台襟２に形成されたポケット状の保冷部材収納部４内に保冷部材１０が収納されているので、保冷部材１０の冷たさが保冷部材収納部４を通して着用者の首の部分に伝わり、本実施例にかかるシャツを着用すると効果的な夏の暑さ対策となる。
第２に、保冷部材収納部４の上辺が大きく開口しているので、保冷部材交換時はシャツを着用したままでも短時間に、かつ容易に保冷部材１０を出し入れすることができる。
第３に、保冷部材１０が台襟２の裏側に形成されたポケット状の保冷部材収納部４の中に完全に隠れる形で収納されるので、シャツ着用者の周囲の人達に外見的に不自然な印象を与えない。
第４に、保冷部材１０は冷却してもゲル状を保つ保冷剤１１と合成樹脂製の袋体から構成されており、かつ該袋体が横一列に連結した形状になっているため、シャツの着用者の首のカーブに沿って保冷部材１０が収納されるため、着用時のごろつき感や不快感を軽減し、外見からは保冷部材１０の存在がわからないようになる。従って、着用者は外見を気にすることなく、夏の暑さ対策を実現することができる。
第５に、保冷部材収納部４の上辺は左右両端から中央部に向かって各々２ｃｍの部分が縫い付けられているので、シャツ着用時にはシャツから脱落しないように保冷部材１０を保持することができる。
【符号の説明】
【００２６】
１  襟
２  台襟
３  身頃
４  保冷部材収納部
５  開口部
６  位置ずれ防止用ステッチ
１０  保冷部材
１１  保冷剤
【図１】
0003173264.tif 000003
【図２】
0003173264.tif 000004
【図３】
0003173264.tif 000005